(57)【要約】【課題】操作手順を簡便化するとともに、実用性を向上させる。【解決手段】インターネットＮを介して接続する端末１、サーバ２、親機３と、親機３と双方向に無線通信可能な子機４とを設け、子機４には、個別の開閉部材４ｃ1 を介して商用電源ＡＣに接続する電気器具５、５…用のコンセント４ｄ、４ｄ…を設ける。【選択図】図１
2013098822.tif 000002
【特許請求の範囲】
【請求項１】
インターネットを介して接続する端末、サーバ、親機と、該親機と双方向に無線通信可能な子機とを備えてなり、前記端末は、電気器具の電源を遠隔操作する操作ボタンを前記子機単位の画面上に表示し、操作ボタンを押すと、前記サーバ、親機を介し、操作ボタンを特定して操作要求を前記子機に送出し、前記子機は、前記親機からの操作要求を受信すると、商用電源と、操作要求により特定される操作ボタンに対応の電気器具用のコンセントとの間に介装する開閉部材を駆動制御するとともに、前記親機、サーバを介して各電気器具の給電状態を前記端末に通知して前記子機単位の画面上に更新表示させることを特徴とする電気器具の遠隔制御システム。
【請求項２】
前記子機は、前記親機、サーバを介し、操作要求に対する操作結果を前記端末に送出することを特徴とする請求項１記載の電気器具の遠隔制御システム。
【請求項３】
インターネットを介して端末と接続する親機と双方向に無線通信可能な子機として作動する電気器具の遠隔制御システム用のコンセント装置であって、無線ネットワーク通信部を介して親機と無線通信する制御部と、個別の開閉部材を介して商用電源に接続する電気器具用のコンセントとを備え、前記制御部は、親機からの操作要求により特定される操作ボタンに対応の前記開閉部材を駆動するとともに、各電気器具の給電状態を示すコンセント情報を前記無線ネットワーク通信部から外部に発信させることを特徴とする電気器具の遠隔制御システム用のコンセント装置。
【請求項４】
Ａ／Ｄ変換部を介して前記コンセントごとの電力センサを前記制御部に接続することを特徴とする請求項３記載の電気器具の遠隔制御システム用のコンセント装置。
【請求項５】
Ａ／Ｄ変換部を介して温度センサ、湿度センサ、照度センサの少なくともいずれかを前記制御部に接続することを特徴とする請求項３記載の電気器具の遠隔制御システム用のコンセント装置。
【発明の詳細な説明】
【技術分野】
【０００１】
この発明は、インターネットに接続する端末を介して各種の電気器具の電源を遠隔操作することができる電気器具の遠隔制御システムと、それに使用する電気器具の遠隔制御システム用のコンセント装置に関する。
【背景技術】
【０００２】
インターネットに接続する携帯電話などの通信端末を介し、ユーザの宅内に設置されている各種の電気器具の電源を遠隔操作するための電気器具の遠隔制御システムが提案されている（特許文献１）。
【０００３】
従来の電気器具の遠隔制御システムは、インターネットに接続するユーザの通信端末、共通のウェブサーバと、各ユーザの宅内に設置するテーブルタップとを組み合わせている。ウェブサーバは、通信端末を保有するユーザを認証する他、モバイル回線の公衆通信回線網を介し、ユーザの宅内のテーブルタップに組み込むモバイル通信端末との間に双方向のデータ通信が可能である。なお、テーブルタップは、オンオフ制御回路を介して商用電源に接続する複数の電気器具用のコンセントを有し、オンオフ制御回路には、モバイル通信端末からの制御データによって作動するマイクロコンピュータが接続されている。
【０００４】
通信端末から宅内の電気器具の電源を遠隔操作するときは、通信端末からウェブサーバにアクセスし、ウェブサーバによって通信端末に表示されるウェブページにおいて、ＨＴＴＰリクエストを介して宅内の制御対象の電気器具を選択し、電源入切の操作内容を指示する。ウェブサーバは、通信端末からのＨＴＴＰリクエストに対応して所定の制御データを宅内のテーブルタップのモバイル通信端末に送出し、テーブルタップ内のマイクロコンピュータは、オンオフ制御回路を駆動制御して所定の電気器具に対応のコンセントを商用電源に接続し、または商用電源から切り離すことにより、電気器具の電源を遠隔操作することができる。
【先行技術文献】
【特許文献】
【０００５】
【特許文献１】特開２００３−１５１７０２号公報
【発明の概要】
【発明が解決しようとする課題】
【０００６】
かかる従来技術によるときは、各ユーザの通信端末を使用して宅内の電気器具の電源を遠隔操作する指令が一方的に発信できるだけであって、制御対象の電気器具の電源が現実に操作されたことの確認が得られないため、極めて実用性に乏しいという問題があった。また、ウェブページを利用する各電気器具の電源の操作手順は、ウェブページの複数ページの閲覧を要し、煩雑であるという問題もあった。
【０００７】
そこで、この発明の目的は、かかる従来技術の問題に鑑み、電気器具の電源を遠隔操作する操作ボタンを子機単位に端末の画面上に表示することにより、ウェブページを利用することなく、制御対象の各電気器具の給電状態を画面上に更新表示して実用性を格段に向上させることができる電気器具の遠隔制御システムと、それに使用する電気器具の遠隔制御システム用のコンセント装置を提供することにある。
【課題を解決するための手段】
【０００８】
かかる目的を達成するためのこの出願に係る第１発明（請求項１に係る発明をいう、以下同じ）の構成は、インターネットを介して接続する端末、サーバ、親機と、親機と双方向に無線通信可能な子機とを備えてなり、端末は、電気器具の電源を遠隔操作する操作ボタンを子機単位の画面上に表示し、操作ボタンを押すと、サーバ、親機を介し、操作ボタンを特定して操作要求を子機に送出し、子機は、親機からの操作要求を受信すると、商用電源と、操作要求により特定される操作ボタンに対応の電気器具用のコンセントとの間に介装する開閉部材を駆動制御するとともに、親機、サーバを介して各電気器具の給電状態を端末に通知して子機単位の画面上に更新表示させることをその要旨とする。
【０００９】
なお、子機は、親機、サーバを介し、操作要求に対する操作結果を端末に送出することができる。
【００１０】
第２発明（請求項３に係る発明をいう、以下同じ）の構成は、インターネットを介して端末と接続する親機と双方向に無線通信可能な子機として作動する電気器具の遠隔制御システム用のコンセント装置であって、無線ネットワーク通信部を介して親機と無線通信する制御部と、個別の開閉部材を介して商用電源に接続する電気器具用のコンセントとを備え、制御部は、親機からの操作要求により特定される操作ボタンに対応の開閉部材を駆動するとともに、各電気器具の給電状態を示すコンセント情報を無線ネットワーク通信部から外部に発信させることをその要旨とする。
【００１１】
なお、Ａ／Ｄ変換部を介してコンセントごとの電力センサを制御部に接続することができ、Ａ／Ｄ変換部を介して温度センサ、湿度センサ、照度センサの少なくともいずれかを制御部に接続することができる。
【発明の効果】
【００１２】
かかる第１発明の構成によるときは、端末と親機とは、サーバを中継サーバとして、インターネットを介して双方向に通信可能である。ただし、端末、サーバには、通信の開始に先き立って、たとえば親機の製造番号を共通に登録して端末、親機間の通信可能範囲を同一ユーザ間に限定し、全体システムの安全性を向上させることができる。
【００１３】
端末は、たとえばｉＰｈｏｎｅなどのスマートフォンや、ｉＰａｄなどのタブレット端末を含む携帯情報端末であって、各ユーザが保有して携帯する一方、サーバは、各ユーザに共通である。親機は、子機とともに各ユーザの宅内に設置し、子機と双方向に無線通信可能であれば、インターネットに接続するためのルータ機能を一体に保持していてもよく、別体に組み合わせていてもよい。子機は、たとえばＩＥＥＥ８０２．１５．４規格によるＺｉｇＢｅｅプロトコルにより親機と無線通信可能であり、１台の親機に対し、１台以上の子機を組み合わせることができ、子機間相互の通信により親機との通信距離を拡大することができる。また、各子機には、１台以上の電気器具を制御対象として割り当てることができる。
【００１４】
端末から電源を遠隔操作する制御対象の電気器具は、端末の表示部に子機単位に表示される画面上において、操作ボタンの１個を押し操作することにより指定され、このときの端末は、押し操作された操作ボタンを特定して操作要求を子機に送出する。ただし、操作ボタンを特定して操作要求を送出するには、たとえば操作ボタンを特定するボタン番号を操作要求に含ませればよい。また、端末上の画面は、子機単位であるから、端末は、ユーザにより特定の画面が選択されたことにより画面に個有の子機を特定することができる。そこで、端末は、操作ボタンが押し操作された画面に対応する子機の特定情報、たとえば子機のＭＡＣアドレスを操作要求に含ませるものとし、親機は、操作要求に含まれる子機のＭＡＣアドレスを利用して、操作要求を伝送すべき子機を特定することができる。
【００１５】
なお、親機は、このようにして特定された子機に対し、ボタン番号と、ボタン番号の操作ボタンに対応の電気器具に対する操作指示、すなわち、その電気器具の電源の入切の別を含む操作要求を送信すれば十分である。子機は、親機からの操作要求のボタン番号によって操作ボタンを特定し、特定された操作ボタンに対応する開閉部材を操作指示の方向に駆動制御することにより、端末の画面上において押し操作された操作ボタンに対応する電気器具の電源を遠隔操作することができる。ただし、各電気器具用のコンセントは、個別の開閉部材を介して商用電源に接続されているものとする。
【００１６】
したがって、第１発明によれば、端末の画面上の操作ボタンを押し操作して電気器具の電源の遠隔操作を実現することができ、このとき、ウェブページを使用しないから、操作手順が簡便で煩雑でない上、電気器具の給電状態が端末の画面上に更新表示されるので、それを確認して操作ボタンを押し操作することができ、さらに、押し操作後の給電状態の変化をも併せて確認することができるため、十分高い実用性を実現することができる。なお、端末は、操作要求にユーザ認証用のユーザＩＤ、パスワードを併せて含ませることができ、親機は、ユーザＩＤ、パスワードの認証成立を条件として操作要求を子機に送出することにより、全体システムの安全性を一層向上させることができる。
【００１７】
子機は、操作要求に対する操作結果を端末に送出することにより、端末の画面を介して特定の電気器具の電源の遠隔操作を指示したユーザに対し、その指示が適切に実行されたか否かを一層速やかに通知することができる。
【００１８】
第２発明の構成によるときは、無線ネットワーク通信部は、親機との双方向の無線通信が可能であり、電気器具用のコンセントは、個別の開閉部材を介して商用電源に接続されている。そこで、制御部は、親機からの操作要求があると、たとえば操作要求に含まれるボタン番号によって特定される操作ボタンに対応の開閉部材を駆動制御することにより、端末の画面上の操作ボタンによって指定される所定の電気器具の電源を遠隔操作することができる。また、開閉部材の駆動制御によって実現される電気器具の給電状態を示すコンセント情報を外部に発信させることにより、それを端末の画面上に更新表示させることができる。
【００１９】
コンセントごとの電力センサを制御部に接続すれば、制御部は、各電力センサの検出値を外部に定期的に発信させることができる。また、温度センサ、湿度センサ、照度センサの一部または全部を制御部に接続すれば、制御部は、これらのセンサの検出値を定期的に外部に発信させる。そこで、親機は、これらの検出値を端末に定期的に送出し、端末の画面に更新表示させることにより、ユーザに対し、ユーザの宅内の各電気器具の消費電力や、宅内の環境情報を報知することができる。
【図面の簡単な説明】
【００２０】
【図１】全体構成模式ブロック系統図
【図２】要部詳細ブロック系統説明図
【図３】要部ブロック系統図
【図４】動作画面説明図（１）
【図５】動作画面説明図（２）
【図６】動作フローチャート（１）
【図７】動作フローチャート（２）
【図８】動作フローチャート（３）
【発明を実施するための形態】
【００２１】
以下、図面を以って発明の実施の形態を説明する。
【００２２】
電気器具の遠隔制御システムは、各ユーザが保有するスマートフォンなどの端末１と、各ユーザに共通のインターネットＮ上のサーバ２と、各ユーザの宅内に設置する親機３、子機４とを備えてなる（図１）。ただし、子機４は、１台であってもよく、２台以上の複数台であってもよい。子機４は、電気器具の遠隔制御システム用のコンセント装置として作動する。
【００２３】
端末１、サーバ２、親機３は、インターネットＮを介して接続されている。親機３は、宅内のネットワークＮ1 を介してインターネットＮに接続されており、子機４との間に双方向に無線通信可能である。子機４には、たとえばコタツ、ホットカーペット、加湿器、照明器具などの任意の電気器具５、５…用のコンセント４ｄ、４ｄ…が搭載されており、各電気器具５は、子機４のコンセント４ｄを介して商用電源ＡＣから給電することができる。
【００２４】
サーバ２は、インターネットＮに接続するネットワーク接続部２ａと、制御部２ｂ、データベース２ｃとを備えている（図１、図２（Ａ））。制御部２ｂは、ネットワーク接続部２ａを介し、インターネットＮから配信される情報をデータベース２ｃに集積することができ、データベース２ｃから読み出したデータベース情報をインターネットＮに送出することができる。サーバ２は、端末１、親機３の間の中継サーバとして動作する。
【００２５】
親機３は、宅内のネットワークＮ1 を介してインターネットＮに接続するネットワーク接続部３ａと、制御部３ｂ、メモリ３ｃと、子機４と無線通信するための無線ネットワーク通信部３ｄとを備えている（図１、図２（Ｂ））。制御部３ｂは、ネットワーク接続部３ａを介し、インターネットＮに対して情報を双方向に配信することができ、無線ネットワーク通信部３ｄを介し、子機４との間に双方向に無線通信することができる。また、制御部３ｂは、必要な情報をメモリ３ｃに書き込み、メモリ３ｃから読み出すことができる。
【００２６】
子機４は、親機３と無線通信するための無線ネットワーク通信部４ａと、制御部４ｂ、コンセント出力部４ｃと、コンセント４ｄ、４ｄ…とを備えている（図１、図２（Ｃ））。なお、制御部４ｂには、各コンセント４ｄに対応するＬＥＤの表示器４ｅ、４ｅ…が接続され、Ａ／Ｄ変換部４ｈを介し、各コンセント４ｄに対応する電力センサ４ｆ、４ｆ…の他、温度センサ４ｇ1 、湿度センサ４ｇ2 、照度センサ４ｇ3 が接続されている。
【００２７】
コンセント出力部４ｃには、商用電源ＡＣと、各コンセント４ｄとの間に介装するようにして、開閉部材４ｃ1 、４ｃ1 …が配設されている（図３）。各開閉部材４ｃ1 は、たとえばリレー接点のような機械的なスイッチでもよく、半導体素子を含む静的なスイッチング素子でもよく、制御部４ｂを介して個別に開閉駆動することができる。なお、各開閉部材４ｃ1 、コンセント４ｄの間には、電流検出器４ｆ1 を介して電力センサ４ｆが設置されており、各電力センサ４ｆには、コンセント４ｄに接続する電路の電圧が併せて供給されているものとする。そこで、各電力センサ４ｆは、対応するコンセント４ｄに接続されている電気器具５の消費電力を検出する。
【００２８】
制御部４ｂは、無線ネットワーク通信部４ａを介し、親機３と双方向に無線通信する（図１、図２（Ｃ））。また、制御部４ｂは、コンセント出力部４ｃの開閉部材４ｃ1 、４ｃ1 …を個別に開閉駆動することにより、各開閉部材４ｃ1 に対応のコンセント４ｄに接続する電気器具５の電源を入切することができる。制御部４ｂは、必要に応じて表示器４ｅ、４ｅ…のＬＥＤを個別に点灯、点滅、消灯させ、Ａ／Ｄ変換部４ｈを介して電力センサ４ｆ、４ｆ…、温度センサ４ｇ1 、湿度センサ４ｇ2 、照度センサ４ｇ3 の各検出値（以下、一括してセンサ値という）を読み取り、無線ネットワーク通信部４ａを介して外部に送信する。
【００２９】
なお、端末１、サーバ２、親機３は、たとえば親機３の製造番号をサーバ２、端末１にあらかじめ登録することにより、サーバ２を中継サーバとする端末１、親機３の相互の通信可能範囲を同一ユーザ間に限定する。また、端末１には、サーバ２を介して親機３、子機４に対してアクセスするために、あらかじめ親機３、子機４の各ＭＡＣアドレスを登録することができる。さらに、端末１は、ユーザＩＤ、パスワードを設定することができ、親機３は、端末１からのユーザＩＤ、パスワードの認証成立を条件として、端末１からの指示情報を子機４に伝送することができる。なお、親機３、子機４の間には、共通の無線ＩＤ、無線ＣＨが設定され、親機３、子機４のＭＡＣアドレスを利用して、双方向の暗号無線通信が実行される。
【００３０】
かかる電気器具の遠隔制御システムの作動は、たとえば次のとおりである。
【００３１】
端末１において、ユーザにより電気器具の遠隔制御システム用のアプリケーションプログラムが起動されると、端末１の表示部には、図４の選択画面が表示される。ただし、図４において、ヘッダ部分には、親機３の設置場所を示すメッセージ１１が表示され、中間部には、複数の子機４、４…の設置場所を示すメッセージ付きの選択ボタン１２、１２…が一覧表示され、フッタ部分には、切替ボタン１３が表示されている。そこで、図４において、選択ボタン１２、１２…の１個を選択操作すると、特定の子機４に対応する子機単位の画面が表示される（図５（Ａ））。
【００３２】
図５（Ａ）の画面の上部には、子機４の設置場所を示すメッセージ２１が表示され、上部のメッセージ２１、下部のフッタ部分を除く画面の中央部右側には、子機４の制御対象となっている電気器具５、５…の電源を遠隔操作するための操作ボタン２２、２２…が縦一列に配列されている。各操作ボタン２２には、電気器具５の給電状態を示すＯＮまたはＯＦＦの下線付きのメッセージ２２ａが表示されており、メッセージ２２ａがＯＮのときに下線部分が強調して表示される。また、操作ボタン２２と同一欄の左側には、電気器具５を示すメッセージ２２ｂが表示され、メッセージ２２ｂの下段には、その電気器具５の現時点の消費電力を表示するデータ表示部２２ｃが設けられている。
【００３３】
また、子機４の設置場所のメッセージ２１の上方には、左側の「コンセント」の文字の固定メッセージの他に、子機４に内蔵の温度センサ４ｇ1 、湿度センサ４ｇ2 、照度センサ４ｇ3 の各検出値を右側に個別に表示するデータ表示部２３が設けられている。なお、図５（Ａ）において、操作ボタン２２、２２…の下方のフッタ部分の切替ボタン１３を押すと、次の子機４に対応する図５（Ａ）相当の次の画面に移行することができる。
【００３４】
図５（Ａ）において、１個の操作ボタン２２を押すと、その操作ボタン２２に対応する電気器具５の電源を遠隔操作することができる（図６）。
【００３５】
すなわち、端末１に図５（Ａ）の画面が表示されているとき（図６のステップ（１）、以下、単に（１）のように記す）、操作ボタン２２を押すことにより（図６の条件（Ｇ１）、以下、単に（Ｇ１）のように記す）、端末１は、サーバ２に対して操作要求を送信する（図６の操作要求（Ｆ１）、以下、単に（Ｆ１）のように記す）。ただし、このときの操作要求には、図５（Ａ）の画面に対応する子機４を特定するために、たとえば子機４のＭＡＣアドレスのような子機情報と、条件（Ｇ１）において押し操作された操作ボタン２２を特定するためのボタン番号と、電気器具５の電源を入切のいずれの方向に操作するかを示す操作指示とが少なくとも含まれている。なお、操作ボタン２２上のメッセージ２２ａがＯＮであって、現在給電中の電気器具５の操作ボタン２２を押し操作すれば、その電気器具５の電源を切る方向の操作指示が出力され、メッセージ２２ａがＯＦＦの操作ボタン２２を操作すれば、その電気器具５の電源を投入する方向の操作指示が出力される。
【００３６】
サーバ２は、端末１からの操作要求を親機３に中継して転送する（Ｆ２）。そこで、親機３は、サーバ２からの操作要求を受信すると、サーバ２からの操作要求によって特定される子機４に対して操作要求を送出する（Ｆ３）。なお、親機３からの操作要求には、ボタン番号、操作指示が含まれている。
【００３７】
子機４は、親機３からの操作要求を受信すると、図６のステップ（２）を実行する。すなわち、子機４は、操作要求に含まれるボタン番号に対応する操作ボタン２２を特定し、操作ボタン２２に対応するコンセント出力部４ｃの開閉部材４ｃ1 を操作指示に従って駆動制御し、所定の電気器具５の電源を操作指示に従って端末１から遠隔操作することができる。その後、子機４は、電気器具５の電源の入切に合わせて表示器４ｅのＬＥＤを点灯または消灯させてステップ（２）の一連の動作完了を表示する。
【００３８】
ステップ（２）を完了すると、子機４は、親機３に対して操作完了を示す操作結果を送信し（Ｆ４）、親機３は、サーバ２を介して端末１に操作結果を転送する（（Ｆ５）、（Ｆ６））。そこで、端末１は、たとえば条件（Ｇ１）において押し操作した操作ボタン２２上の下線付きのメッセージ２２ａを遠隔操作後の電気器具５の給電状態に合わせて表示変更し、所定の電気器具５の電源の遠隔操作の成功をユーザに通知することができる（３）。
【００３９】
なお、子機４は、図６のステップ（２）を実行するに当り、安全上のチェック動作を併せ実行してもよい。たとえば、親機３からの操作要求に含まれるボタン番号が図５（Ａ）の画面上の操作ボタン２２、２２…に付される番号範囲を逸脱していたりすると、子機４は、ステップ（２）の実行を中断し、親機３からの操作要求の実行に失敗したと判断する。そこで、このときの子機４は、親機３、サーバ２を介して端末１に遠隔操作に失敗した旨の操作結果を送出し（（Ｆ４）〜（Ｆ６））、端末１は、たとえば図５（Ｂ）の失敗画面にエラーメッセージ２４を表示する（３）。
【００４０】
図５（Ａ）の画面のデータ表示部２２ｃ、２２ｃ…、２３には、子機４に内蔵の電力センサ４ｆ、４ｆ…、温度センサ４ｇ1 、湿度センサ４ｇ2 、照度センサ４ｇ3 の各検出値、すなわち子機４の制御対象の各電気器具５の消費電力、子機４の設置場所の環境情報がリアルタイムに表示される。また、各操作ボタン２２上には、下線付きのメッセージ２２ａとして、各電気器具５の給電状態がリアルタイムに表示される。そこで、電力センサ４ｆ、４ｆ…、温度センサ４ｇ1 、湿度センサ４ｇ2 、照度センサ４ｇ3 の各検出値は、親機３、子機４の電源が投入されていると、常時定期的に親機３のメモリ３ｃに更新記憶され（図７）、端末１、サーバ２、親機３の通信が確立していると、親機３から端末１に常時定期的に更新記憶されている（図８）。
【００４１】
図７において、親機３は、子機４に対して、たとえば１分以下の短時間ごとに定期的に情報要求を送出する（図７の情報要求（Ｆ１）、以下、単に（Ｆ１）のように記す）。そこで、子機４は、親機３からの情報要求に応じて電力センサ４ｆ、４ｆ…、温度センサ４ｇ1 、湿度センサ４ｇ2 、照度センサ４ｇ3 の各検出値、すなわちセンサ値を読み込み（図７のステップ（１）、以下、単に（１）のように記す）、併せて開閉部材４ｃ1 、４ｃ1 …の開閉状態で決まる各電気器具５の給電状態をコンセント情報として読み込み（１）、回答情報として親機３に送出するから（Ｆ２）、親機３は、子機４からのセンサ値、コンセント情報をメモリ３ｃに更新記憶する（２）。なお、１台の親機３に対して複数の子機４があるとき、親機３は、各子機４に対して図７の動作を定期的に繰り返し、ステップ（２）において、子機４ごとのセンサ値、コンセント情報を個別に更新記憶する。
【００４２】
一方、端末１は、サーバ２を介し、親機３に対して状態要求を定期的に送出する（図８の状態要求（（Ｆ１）、（Ｆ２））、以下、単に（Ｆ１）などのように記す）。そこで、親機３は、メモリ３ｃに更新記憶されているセンサ値、コンセント情報を読み出し（図８のステップ（１）、以下、単に（１）のように記す）、子機４を特定するための子機情報とともに、回答情報として端末１に送出し（（Ｆ３）、（Ｆ４））、端末１は、親機３からのセンサ値、コンセント情報を更新記憶するとともに、図５（Ａ）、（Ｂ）の各画面上のデータ表示部２２ｃ、２２ｃ、…、２３に最新のセンサ値を更新して表示し（２）、各操作ボタン２２上のメッセージ２２ａ、２２ａ…として最新のコンセント情報を更新して表示することができる（２）。
【００４３】
なお、親機３は、複数の子機４があるとき、回答情報（Ｆ３）としてすべての子機４、４…に関するセンサ値、コンセント情報を一括して送出するものとし、端末１は、図５（Ａ）、（Ｂ）の子機４ごとの各画面に対応する子機４相当のセンサ値、コンセント情報を抽出し、各画面のデータ表示部２２ｃ、２２ｃ…、２３に表示し、メッセージ２２ａ、２２ａ…として表示するものとする。
【００４４】
以上の説明において、端末１に対し、２以上の複数の親機３を組み合わせてもよい。このときの端末１は、親機３ごとに図４の選択画面を用意し、親機３ごとに切り換えて使用するものとする。なお、図４において、親機３の設置場所を示すメッセージ１１の内容、子機４、４…の設置場所を示す選択ボタン１２、１２…のメッセージ内容などは、端末１において、ユーザが任意に修正変更可能である。図５（Ａ）において、電気器具５、５…を示すメッセージ２２ｂ、２２ｂ…についても同様である。
【００４５】
また、子機４に内蔵する温度センサ４ｇ1 、湿度センサ４ｇ2 、照度センサ４ｇ3 は、これらの一部だけを実装してもよく、さらに、たとえばテレビなどの音響を検知する騒音センサや、人、動物などの存在を検知する赤外線式の人感センサなどを加えてもよい。なお、子機４の各コンセント４ｄ用の開閉部材４ｃ1 、４ｃ1 …は、個別に手動操作可能としてもよく、このときのコンセント情報も、各開閉部材４ｃ1 の入切状態によって決まる各電気器具５の給電状態を示すものとする。さらに、子機４のコンセント４ｄは、対応する開閉部材４ｃ1 、表示器４ｅ、電力センサ４ｆを含む１組、または任意の複数組を設けてもよい。
【産業上の利用可能性】
【００４６】
この発明は、規模の大小や、親機３、子機４の数や設置場所を問わず、広範囲の用途に好適に適用することができる。
【符号の説明】
【００４７】
ＡＣ…商用電源
Ｎ…インターネット
１…端末
２…サーバ
３…親機
４…子機
４ａ…無線ネットワーク通信部
４ｂ…制御部
４ｃ1 …開閉部材
４ｄ…コンセント
４ｆ…電力センサ
４ｇ1 …温度センサ
４ｇ2 …湿度センサ
４ｇ3 …照度センサ
４ｈ…Ａ／Ｄ変換部
５…電気器具
２２…操作ボタン
特許出願人      株式会社  キャダック
【図１】
2013098822.tif 000003
【図２】
2013098822.tif 000004
【図３】
2013098822.tif 000005
【図６】
2013098822.tif 000006
【図７】
2013098822.tif 000007
【図８】
2013098822.tif 000008
【図４】
2013098822.tif 000009
【図５】
2013098822.tif 000010